(57)【要約】【課題】環境負荷の軽減を図ることができる表示方法、機器情報出力システム、機器情報出力方法及びプログラムを提供する。【解決手段】表示方法は、情報表示端末３０の表示部３１への表示方法である。表示方法は、施設のエリアを区分する１以上の第１区分Ｒ１に基づいて、施設に設けられた１以上の機器を各々に分類するための第１設定画面１０１を表示部３１に表示するステップと、施設のエリアを区分する第１区分Ｒ１とは異なる１以上の第２区分Ｒ２に基づいて、１以上の機器を各々に分類するための第２設定画面１０２を表示部３１に表示するステップとを有する。【選択図】図３Ａ
2020009211.tif 000002
【特許請求の範囲】
【請求項１】
情報端末の表示部への表示方法であって、
施設のエリアを区分する１以上の第１区分に基づいて、前記施設に設けられた１以上の機器を各々に分類するための第１設定画面を前記表示部に表示するステップと、
前記施設のエリアを区分する前記第１区分とは異なる１以上の第２区分に基づいて、１以上の前記機器を各々に分類するための第２設定画面を前記表示部に表示するステップとを有する
表示方法。
【請求項２】
前記第１区分は、所定の用途に用いられる各々の前記機器を分類した第１の情報を、前記表示部に表示するための区分であり、
前記第２区分は、前記第１の情報とは異なる第２の情報を、前記表示部に表示するための区分である
請求項１に記載の表示方法。
【請求項３】
前記第２区分のいずれかは、複数の前記第１区分を包含する
請求項１または２に記載の表示方法。
【請求項４】
前記第１区分および前記第２区分の少なくとも一方において、複数の前記機器同士における連動の有無を設定するための第３設定画面を前記表示部に表示するステップを有する
請求項１〜３のいずれか１項に記載の表示方法。
【請求項５】
前記第３設定画面において、連動する前記機器の機能に関する情報を前記表示部に表示する
請求項４に記載の表示方法。
【請求項６】
連動する複数の前記機器のうち、一部の機器を報知の対象から除外する第４設定画面を前記表示部に表示するステップを有する
請求項１〜５のいずれか１項に記載の表示方法。
【請求項７】
施設のエリアを区分する１以上の第１区分に基づいて、取得した情報を分類し、かつ、前記施設のエリアを区分する前記第１区分とは異なる１以上の第２区分に基づいて、前記情報を分類する機器管理部と、
前記情報を取得したとき、前記機器管理部の分類に基づいた情報を出力する出力部と有する
機器情報出力システム。
【請求項８】
前記第１区分に分類された機器と、前記第２区分に分類された機器とを制御する機器制御部をさらに備え、
前記機器制御部は、前記第２区分に分類された機器の動作に応じて、前記第１区分に分類された機器が所定の動作を行うように連動制御する
請求項７に記載の機器情報出力システム。
【請求項９】
施設のエリアを区分する１以上の第１区分に基づいて、取得した情報を分類する第１分類ステップと、
前記施設のエリアを区分する前記第１区分とは異なる１以上の第２区分に基づいて、前記情報を分類する第２分類ステップと、
前記情報を取得したとき、前記第１分類ステップおよび前記第２分類ステップの少なくとも一方の分類ステップに基づいた情報を出力するステップと有する
機器情報出力方法。
【請求項１０】
請求項１〜６のいずれか１項に記載の表示方法、又は、請求項９に記載の機器情報出力方法をコンピュータに実行させる
プログラム。
【発明の詳細な説明】
【技術分野】
【０００１】
本発明は、表示方法、機器情報出力システム、機器情報出力方法、及びプログラムに関する。
【背景技術】
【０００２】
近年では、複数台の家電機器をグループ化して管理することで、住民に対して適切な住環境を提供するシステムが登場してきている。例えば、特許文献１における火災報知システムでは、検知器、調理器、及び換気機器を登録処理することにより、所定の機器とは異なる他の機器を連動して運転制御を行う。
【先行技術文献】
【特許文献】
【０００３】
【特許文献１】特開２０１７−１６１０９８号公報
【発明の概要】
【発明が解決しようとする課題】
【０００４】
しかしながら、住民に対して適切な住環境を提供するための空調装置等の家電機器のグループと、住民に対する安全性を確保するために扉の開閉を検知する開閉センサー等の防犯用機器のグループとがある場合、これらのグループは互いに用途が異なるため、従来のシステムでは、グループ間で連動した動作を行うことができない。例えば、リビングの窓が開放されれば、防犯用機器のグループとして開閉センサーがリビングの窓が開放されていることを検知するが、開閉センサーは家電機器のグループではないため、リビングに存在する空調装置を停止するといった制御を行うことができない。このため、各々の機器の設定を最適化することができていない。
【０００５】
そこで、環境負荷の軽減を図ることができる表示方法、機器情報出力システム、機器情報出力方法、及びプログラムを提供することを目的とする。
【課題を解決するための手段】
【０００６】
上記目的を達成するため、本発明の一態様に係る表示方法は、情報端末の表示部への表示方法であって、施設のエリアを区分する１以上の第１区分に基づいて、前記施設に設けられた１以上の機器を各々に分類するための第１設定画面を前記表示部に表示するステップと、前記施設のエリアを区分する前記第１区分とは異なる１以上の第２区分に基づいて、１以上の前記機器を各々に分類するための第２設定画面を前記表示部に表示するステップとを有する。
【０００７】
また、本発明の一態様に係る機器情報出力システムは、施設のエリアを区分する１以上の第１区分に基づいて、取得した情報を分類し、かつ、前記施設のエリアを区分する前記第１区分とは異なる１以上の第２区分に基づいて、前記情報を分類する機器管理部と、前記情報を取得したとき、前記機器管理部の分類に基づいた情報を出力する出力部と有する。
【０００８】
また、本発明の一態様に係る機器情報出力方法は、施設のエリアを区分する１以上の第１区分に基づいて、取得した情報を分類する第１分類ステップと、前記施設のエリアを区分する前記第１区分とは異なる１以上の第２区分に基づいて、前記情報を分類する第２分類ステップと、前記情報を取得したとき、前記第１分類ステップおよび前記第２分類ステップの少なくとも一方の分類ステップに基づいた情報を出力するステップと有する。
【０００９】
また、本発明の一態様に係るプログラムは、表示方法、又は、機器情報出力方法をコンピュータに実行させる。
【発明の効果】
【００１０】
本開示に係る表示方法、機器情報出力システム、機器情報出力方法、及びプログラムによれば、環境負荷の軽減を図ることができる。
【図面の簡単な説明】
【００１１】
【図１】図１は、実施の形態に係る機器情報出力システムを例示するブロック図である。
【図２】図２は、実施の形態に係る機器情報出力システムを例示する模式図である。
【図３Ａ】図３Ａは、機器テーブルを例示する図である。
【図３Ｂ】図３Ｂは、第２区分のテーブルを例示する図である。
【図３Ｃ】図３Ｃは、第１区分のテーブルを例示する図である。
【図４Ａ】図４Ａは、実施の形態に係る機器情報出力システムの第２設定画面を例示する図である。
【図４Ｂ】図４Ｂは、実施の形態に係る機器情報出力システムの第１設定画面を例示する図である。
【図５Ａ】図５Ａは、実施の形態に係る機器情報出力システムの第３設定画面を例示する図である。
【図５Ｂ】図５Ｂは、実施の形態に係る機器情報出力システムの第３設定画面を例示する図である。
【図６】図６は、実施の形態に係る機器情報出力システムの第４設定画面を例示する図である。
【図７Ａ】図７Ａは、実施の形態に係る機器情報出力システムの動作を例示する図である。
【図７Ｂ】図７Ｂは、実施の形態に係る機器情報出力システムにおける第４設定画面を用いて各々の機器の連動制御の設定を例示する図である。
【図８】図８は、変形例に係る機器情報出力システムを例示するブロック図である。
【発明を実施するための形態】
【００１２】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１４】
まず、本実施の形態に係る表示方法、機器情報出力システム、機器情報出力方法、及びプログラムについて説明する。
【００１５】
（実施の形態）
［構成］
図１は、実施の形態に係る機器情報出力システム１を例示するブロック図である。図２は、実施の形態に係る機器情報出力システム１を例示する模式図である。
【００１６】
図１及び図２に示すように、機器情報出力システム１は、複数の機器が搭載された施設において、複数の機器のそれぞれを、１以上の区分に分類し、分類されたそれぞれの区分の間で、連動した動作を行わせることができるシステムである。
【００１７】
例を挙げて具体的に説明すると、機器情報出力システム１では、施設のリビングに存在する照明装置４４、空調装置４３（例えばエアコン）等の機器を第１区分Ｒ１と規定し、施設のリビングにある窓センサー４１を第２区分Ｒ２と規定する。機器情報出力システム１は、第２区分Ｒ２に属する窓センサー４１が窓の開放を検知すると、第１区分Ｒ１に属する空調装置４３の動作を自動的に停止させる。このように、機器情報出力システム１では、異なる区分に属する機器であっても、各々の機器を連動した動作を行わせる。
【００１８】
ここで第２区分Ｒ２は、施設における所定のエリアであり、例えば、玄関、１階のフロア、２階のフロア等の単位で設定された区分である。また、第１区分Ｒ１は、リビング、台所、寝室等の１部屋単位で設定された区分である。第２区分Ｒ２のいずれかは、複数の第１区分Ｒ１を包含している。１以上の第１区分Ｒ１及び１以上の第２区分Ｒ２のそれぞれには、１以上の機器が設置されている。このような区分は予め設定されており、ユーザが任意で設定変更することができる。例を挙げれば、第○○区分に属する××という場合は、××が第○○区分に配置されていることを意味する。
【００１９】
また、機器情報出力システム１では、第１区分Ｒ１に属する各々の機器に対して連動した動作を行わせる。例えば、機器情報出力システム１は、ユーザの操作によって第１区分Ｒ１に属する空調装置４３がＯＮになると、人が存在していると考えられるため、第１区分Ｒ１の照明装置４４を自動的に点灯させるといった動作を、各々の機器に行わせることもできる。
【００２０】
機器情報出力システム１は、施設における各々の部屋に設置されている各々の機器と通信可能に接続され、それぞれの機器の動作を制御する。ここで、施設とは、例えば、オフィスビル、倉庫、住宅等の建築物である。本実施の形態では住宅を例示している。また、機器は、窓センサー４１、空気清浄機４２、空調装置４３、照明装置４４、ＩＨ調理器４５、電気錠４６等であり、施設に設置される家電機器、防犯用機器等である。
【００２１】
本実施の形態では、施設のリビングには、第１区分Ｒ１の空気清浄機４２、空調装置４３、照明装置４４等の機器と、第２区分Ｒ２の窓センサー４１等の機器とが設置されている。また、台所には、第２区分Ｒ２の窓センサー４１等の機器と、第１区分Ｒ１の空調装置４３、ＩＨ調理器４５等の機器とが設置されている。
【００２２】
また、機器情報出力システム１は、ネットワークを介して情報表示端末３０に接続されている。情報表示端末３０は、ディスプレイを備えた、スマートフォン、タブレット端末、パーソナルコンピュータ等である。
【００２３】
機器情報出力システム１は、機器制御部２１と、機器管理部２２と、記憶部２３と、通信部２５とを備える。
【００２４】
機器制御部２１は、第２区分Ｒ２に分類された機器の動作に応じて、第１区分Ｒ１に分類された機器が所定の動作を行うように制御する。機器制御部２１は、同一の区分に属する各々の機器の動作を連動するように制御し、かつ、異なる区分に属する各々の機器の動作をも連動するように制御する。具体的には、ユーザがリビングの空調装置４３（第１区分Ｒ１）が起動させると、機器制御部２１はリビングの照明装置４４（第１区分Ｒ１）を点灯させたり、ユーザが窓を開けると（リビングの窓センサー４１（第２区分Ｒ２）が窓の開放を検知すると）、機器制御部２１は空調装置４３（第１区分Ｒ１）の運転を停止させたりする。
【００２５】
機器管理部２２は、上述したように、施設のエリアを複数に区分する設定を行うことができる。具体的には、機器管理部２２は、施設内のエリアにおいて、例えば玄関、１階のフロア、２階のフロア等を第１区分Ｒ１として分類することができる。また、機器管理部２２は、施設内のエリアにおいて、例えば、リビング、台所、寝室等を第２区分Ｒ２として分類することができる。
【００２６】
ここで、第１区分Ｒ１は、施設のエリアを所定の用途ごとに分類した第１区分テーブルを、情報表示端末３０の表示部３１に表示するための区分である。本実施の形態では、施設に住居するユーザの住環境を整えるために用いられる、空調装置４３、照明装置４４等の機器が分類されている。第１区分テーブルは、第１の情報の一例である。
【００２７】
また、第２区分Ｒ２は、施設のエリアを第１区分テーブルとは異なる所定の用途ごとに分類した第２区分テーブルを、情報表示端末３０の表示部３１に表示するための区分である。本実施の形態では、第２区分Ｒ２には、施設における防犯のために用いられる、窓、扉等の開閉を検知する窓センサー４１、電気錠４６等の機器が分類されている。第２区分テーブルは、第２の情報の一例である。
【００２８】
機器管理部２２は、ユーザが各々の機器から機器に関する情報を機器情報出力システム１に取得させると、１以上の第１区分Ｒ１に基づいて１以上の機器を各々に分類するための第１設定画面１０１、１以上の第２区分Ｒ２に基づいて１以上の機器を各々に分類するための第２設定画面１０２、各々の機器同士における連動の有無を設定するための第３設定画面１０３、及び、ユーザの選択によって任意の機器を連動制御の対象から除外する第４設定画面１０４を生成する。機器管理部２２は、生成した第１設定画面１０１、第２設定画面１０２、第３設定画面１０３、及び第４設定画面１０４のそれぞれを、情報表示端末３０の表示部３１に出力する。第１設定画面１０１、第２設定画面１０２、第３設定画面１０３、及び第４設定画面１０４については、後述する。
【００２９】
機器管理部２２は、記憶部２３に格納されている各々の機器に関する情報を管理する。具体的には、機器管理部２２は、各々の機器に関する情報を生成し、生成した各々の機器に関する情報を記憶部２３に格納し、記憶部２３のデータベースに含まれる各々の機器に関する情報を更新する。
【００３０】
各々の機器に関する情報について具体的に説明する。各々の機器に関する情報は、図３Ａに示す機器テーブル、図３Ｂに示す第２区分テーブル、及び図３Ｃに示す第１区分テーブルを含む。図３Ａは、機器テーブルを例示する図である。図３Ｂは、第２区分テーブルを例示する図である。図３Ｃは、第１区分テーブルを例示する図である。
【００３１】
図３Ａに示すように、機器テーブルは、各々の機器を識別する「機器ＩＤ」、機器ＩＤが示す機器が第２区分Ｒ２のどの区分に属しているかを識別する「第２区分ＩＤ」、機器ＩＤが示す機器が第１区分Ｒ１のどの区分に属しているかを識別する「第１区分ＩＤ」、各々の機器ＩＤに対応する「機器の名称」で構成されている。機器テーブルにおける各々の機器は、第２区分Ｒ２及び第１区分Ｒ１に属する区分、及び機器の名称が、機器ＩＤにそれぞれ紐付けられている。このため、各々の機器は、施設のどこに配置され、どのような用途の機器であるかどうかが分かる。
【００３２】
図３Ｂに示すように、第２区分テーブルは、各々の第２区分Ｒ２をそれぞれ識別する「第２区分ＩＤ」、窓等が開いていることを知らせる設定がｏｎであるかｏｆｆであるかを示す「警報」、各々の第１区分Ｒ１をそれぞれ識別する「第１区分ＩＤ」、各々の第２区分ＩＤに対応する「第２区分の名称」で構成されている。
【００３３】
図３Ｃに示すように、第１区分テーブルは、各々の第１区分Ｒ１をそれぞれ識別する第１区分ＩＤ、各々の第１区分Ｒ１に対応する第１区分Ｒ１の名称で構成されている。
【００３４】
機器管理部２２は、ユーザによって第２区分Ｒ２に分類された機器と第１区分Ｒ１に分類された機器とが連動するように設定されると、例えば第２区分Ｒ２の機器の動作によって、第１区分Ｒ１の機器の動作を制御するための制御情報を生成し、生成した制御情報を機器制御部２１に出力する。機器制御部２１は、制御情報に応じた制御コマンドを生成し、生成した制御コマンドを、通信部２５を介して対応する機器に送信する。
【００３５】
記憶部２３は、各々の機器に関する情報を含むデータベースを格納する。記憶部２３は、例えば、半導体メモリ又はハードディスク装置を用いて構成される。
【００３６】
情報表示端末３０は、第１設定画面１０１、第２設定画面１０２、第３設定画面１０３、第４設定画面１０４等を表示するディスプレイである表示部３１を有する。表示部３１は、施設に設けられた各々の機器を分類するための第１設定画面１０１、各々の機器を分類するための第２設定画面１０２等を表示する。表示部３１は、例えば、液晶ディスプレイ、有機ＥＬ（Ｅｌｅｃｔｒｏ  Ｌｕｍｉｎｅｓｃｅｎｃｅ）ディスプレイ等である。
【００３７】
図４Ａは、実施の形態に係る機器情報出力システム１の第２設定画面１０２を例示する図である。図４Ｂは、実施の形態に係る機器情報出力システム１の第１設定画面１０１を例示する図である。
【００３８】
図４Ａに示すように、第２設定画面１０２は、各々の機器が１以上の第２区分Ｒ２のうち、どの第２区分Ｒ２に属しているかを示している。ユーザが各々の機器から機器に関する情報を機器情報出力システム１に取得させることで、第２設定画面１０２は、機器管理部２２によって生成される。第２設定画面１０２には、各々の機器から取得した機器種別が表示される。第２設定画面１０２は、ユーザによる、第２区分Ｒ２の名称の入力、機器種別に対応する各々の機器の名称の入力等を受付ける（第２分類ステップに相当する）。
【００３９】
図４Ｂに示すように、第１設定画面１０１は、各々の機器が１以上の第１区分Ｒ１のうち、どの第１区分Ｒ１に属しているかを示している。ユーザが各々の機器から機器に関する情報を機器情報出力システム１に取得させることで、第１設定画面１０１は、機器管理部２２によって生成される。第１設定画面１０１には、各々の機器から取得した機器種別が表示される。第１設定画面１０１は、ユーザによる、第１区分Ｒ１の名称の入力、機器種別に対応する各々の機器の名称の入力等を受付ける（第１分類ステップに相当する）。
【００４０】
また、情報表示端末３０の表示部３１は、複数の機器同士における連動の有無を設定するための第３設定画面１０３を表示する。図５Ａは、実施の形態に係る機器情報出力システム１の第３設定画面１０３を例示する図である。図５Ｂは、実施の形態に係る機器情報出力システム１の第３設定画面１０３を例示する図である。
【００４１】
図５Ａに示すように、第３設定画面１０３は、第１区分Ｒ１に属する機器と第２区分Ｒ２に属する機器とを連動するように設定することができる画面である。例えば、第３設定画面１０３は、検知した動作を報知する機器を示す「報知対象」、報知対象の「制御条件」、報知対象が設置されている「部屋」、報知対象の機器と連動させる機器を示す「制御対象」、報知対象の機器と連動する際に制御対象が行う動作を示す「制御内容」で構成されている。「制御内容」における「運転モード」、「温度」は、連動する機器の機能に関する情報の一例である。表示部３１は、機器の機能に関する情報を表示する。
【００４２】
第３設定画面１０３によって、各々の機器を連動させる設定（連動制御設定）を行うことで、例えば、リビングに設置された窓センサー４１（第２区分Ｒ２に属する機器）が窓の開放を検知した場合に、リビングに設置された空調装置４３（第１区分Ｒ１に属する機器）の動作を停止させるといった制御を行うことができる。
【００４３】
例えば図５Ｂに示すように、報知対象を１階のフロアの窓センサー４１に設定し、制御条件を「窓が閉じた場合に制御」に設定し、制御内容をリビングに設置されている全ての空調装置４３の運転モードを冷房に設定する。この場合、機器情報出力システム１は、１階のフロアの窓センサー４１が窓の閉鎖を検知すると、リビングの全ての空調装置４３を２８℃の冷房運転に制御する。
【００４４】
また、表示部３１は、連動する複数の機器のうち、一部の機器を連動制御の対象から除外するための第４設定画面１０４を表示する。図６は、実施の形態に係る機器情報出力システム１の第４設定画面１０４を例示する図である。
【００４５】
図６に示すように、第２区分Ｒ２において、例えば複数の窓センサーＡ１〜Ａ６が存在する場合、機器管理部２２は、表示部３１に表示された第４設定画面１０４を介したユーザの操作を受付けることで、任意の窓センサー４１を報知対象から除外する。例えば、図６では窓センサーＡ６の選択を解除している。この場合、機器情報出力システム１は、窓センサーＡ１〜Ａ５の開閉を検知すれば空調装置４３の動作を制御するが、窓センサーＡ６が窓の開閉を検知しても空調装置４３の動作を制御しない。
【００４６】
なお、図示はしないが、機器情報出力システム１は、ユーザの操作を受付ける入力部を有する。入力部は、例えばタッチパネル等である。入力部は、第１設定画面１０１、第２設定画面１０２、第３設定画面１０３、第４設定画面１０４に応じた入力を受付ける。
【００４７】
通信部２５は、有線通信又は無線通信により各々の機器及び情報表示端末３０と接続されている通信モジュールである。通信部２５は、機器制御部２１が生成した制御コマンドを各々の機器に出力したり、第１設定画面１０１、第２設定画面１０２、第３設定画面１０３、及び第４設定画面１０４を示す情報を、ネットワークを介して情報表示端末３０に送信したりする。
【００４８】
［動作］
図７Ａは、実施の形態に係る機器情報出力システム１の動作を例示する図である。
【００４９】
ここでは、施設に複数の機器が設置されている場合を想定する。
【００５０】
図７Ａに示すように、まず、機器情報出力システム１において、複数の機器の初期設定を行う。具体的には、機器情報出力システム１の機器管理部２２は、通信部２５を介して各々の機器から機器に関する情報を取得する（Ｓ１１）。機器管理部２２は、取得した機器に関する情報のそれぞれを記憶部２３に格納する。具体的には、機器管理部２２は、各々の機器を識別する機器ＩＤを各々の機器に関する情報に付与してデータベース化し、データベースを記憶部２３に格納する。
【００５１】
次に、機器管理部２２は、ステップＳ１１で取得した各々の機器に関する情報に基づいて、第１設定画面１０１を生成し、第１設定画面１０１を示す情報を情報表示端末３０に出力する。情報表示端末３０の表示部３１は、第１設定画面１０１を示す情報を取得し、第１設定画面１０１を表示する（Ｓ１２：第１設定画面１０１を表示部３１に表示するステップの一例）。ユーザは、第１設定画面１０１に表示されている名称の欄に第１区分Ｒ１の名称を入力する。図４Ａでは、ユーザが「１階のフロア」と入力している。また、ユーザは、第１設定画面１０１に表示されている機器名称の欄に機器名称を入力する。図４Ａでは、ユーザが「１階のフロア  窓センサー１」等と入力している。こうして、機器管理部２２は、図３Ｃの第１区分テーブルを生成し、記憶部２３のデータベースに格納する。
【００５２】
本実施の形態において、第１設定画面１０１では、ユーザが第１設定画面１０１を操作して、１階のフロア、玄関、２階のフロア等を入力する。
【００５３】
次に、機器管理部２２は、ステップＳ１１で取得した各々の機器に関する情報に基づいて、第２設定画面１０２を生成し、第２設定画面１０２を示す情報を情報表示端末３０に出力する。情報表示端末３０の表示部３１は、第２設定画面１０２を示す情報を取得し、第２設定画面１０２を表示する（Ｓ１３：第２設定画面１０２を表示部３１に表示するステップの一例）。ユーザは、第２設定画面１０２に表示されている「名称」の欄に第２区分Ｒ２の名称を入力する。図４Ｂでは、ユーザが「リビング」と入力している。また、ユーザは、第２設定画面１０２に表示されている機器名称の欄に「機器名称」を入力する。図４Ｂでは、ユーザが「リビング  空調装置４３」等と入力している。こうして、機器管理部２２は、第２区分テーブルを生成し、記憶部２３のデータベースに格納する。
【００５４】
本実施の形態において、第２設定画面１０２では、ユーザが第２設定画面１０２を操作して、リビング、台所、寝室等を入力する。
【００５５】
なお、ステップＳ１２及びＳ１３は順番が逆であってもよい。また、表示部３１には、第１設定画面１０１及び第２設定画面１０２を１つの画面に同時に表示してもよく、第１設定画面１０１及び第２設定画面１０２をタブ表示してもよい。なお、第１設定画面１０１及び第２設定画面１０２の表示形態はこれらに限定されない。
【００５６】
次に、機器管理部２２は、ステップＳ１２及びＳ１３において、第１設定画面１０１及び第２設定画面１０２の入力が完了しているかどうかを判断する（Ｓ１４）。
【００５７】
入力が完了している場合（Ｓ１４でＹＥＳ）、機器管理部２２は、第１区分テーブル及び第２区分テーブルに基づいて、第３設定画面１０３を生成し、第３設定画面１０３を情報表示端末３０に出力する。情報表示端末３０の表示部３１は、第３設定画面１０３を表示する（Ｓ１５：第３設定画面１０３を表示部３１に表示するステップの一例）。ユーザは、例えば図５Ａに示すように、第３設定画面１０３に表示されている、「報知対象」、「制御条件」、「部屋」、「制御対象」、及び「制御内容」を設定する。これにより、リビングの窓センサー４１とリビングの空調装置４３とが連動制御設定される。こうして、機器管理部２２は、機器テーブルを生成し、記憶部２３のデータベースに格納する。
【００５８】
また、入力が完了していない場合（Ｓ１４でＮＯ）、ステップＳ１２に戻り、ユーザは、第１設定画面１０１及び第２設定画面１０２の入力を行う。
【００５９】
機器管理部２２は、ステップＳ１５において、第３設定画面１０３の入力が完了、つまり各々の機器の連動制御設定が完了しているかどうかを判断する（Ｓ１６）。例えば、第３設定画面１０３における決定ボタンが選択されているかどうかで判断する。
【００６０】
入力が完了している場合（Ｓ１６でＹＥＳ）、機器管理部２２は、連動制御設定された各々の機器の連動制御を開始する（Ｓ１７）。こうして、機器情報出力システム１の処理を終了する。
【００６１】
図７Ｂは、実施の形態に係る機器情報出力システム１における第４設定画面１０４を用いて各々の機器の連動制御の設定を例示する図である。
【００６２】
ユーザは、入力部を操作することで、第４設定画面１０４を呼び出す。機器管理部２２は、ユーザの操作によって、第４設定画面１０４を情報表示端末３０に出力する。情報表示端末３０の表示部３１は、第４設定画面１０４を表示する（Ｓ２１：第４設定画面１０４を表示部３１に表示するステップの一例）。ここで、図６に示すように、ユーザは、入力部を介して、選択によって任意の機器を連動制御の対象から除外する。
【００６３】
機器管理部２２は、ステップＳ２１において、第４設定画面１０４の入力が完了、つまり各々の機器の連動制御設定が完了しているかどうかを判断する（Ｓ２２）。例えば、第４設定画面１０４における決定ボタンが選択されているかどうかで判断する。
【００６４】
入力が完了している場合（Ｓ２２でＹＥＳ）、機器管理部２２は、連動制御設定された各々の機器の連動制御を開始する（Ｓ２３）。機器管理部２２は、複数の機器のうち、連動制御設定が選択された一部の機器についてのみ連動制御を開始する。こうして、機器情報出力システム１の処理を終了する。
【００６５】
このように、この機器情報出力システム１では、第２区分Ｒ２に分類された各々の機器（例えば窓センサー４１等）と第１区分Ｒ１に分類された各々の機器（例えば空調装置４３）を関連付けることで、連動制御を行う。例えば、ユーザがリビングの窓を開けた場合、窓センサー４１は、窓の開放を検知して機器情報出力システム１に出力する。これにより、機器管理部２２は、図５Ａ又は図５Ｂで示す第３設定画面１０３で設定された、制御条件の「窓が開いた場合に制御」、制御対象の「空調装置」、制御内容の「運転モード  停止」をデータベースから読み出し、機器制御部２１に機器の制御情報を出力する。機器制御部２１は、機器管理部２２から取得した制御情報に基づいて、空調装置４３を制御する制御コマンドを生成する。ここでは、機器制御部２１は、空調装置４３の運転を停止させる制御コマンドを生成する。機器制御部２１は、生成した制御コマンドを、通信部２５を介してリビングの空調装置４３に出力する。これによって、空調装置４３は、運転を停止する。
【００６６】
また、ユーザがリビングの窓を開けた場合において、窓センサー４１が連動制御設定されていない場合は、機器情報出力システム１は、窓センサー４１が窓の開閉を検知しても、空調装置４３の動作を制御しない。
【００６７】
［作用効果］
次に、本実施の形態における表示方法、機器情報出力システム１、機器情報出力方法及びプログラムの作用効果について説明する。
【００６８】
上述したように、本実施の形態に係る表示方法は、情報表示端末３０の表示部３１への表示方法である。表示方法は、施設のエリアを区分する１以上の第１区分Ｒ１に基づいて、施設に設けられた１以上の機器を各々に分類するための第１設定画面１０１を表示部３１に表示するステップと、施設のエリアを区分する第１区分Ｒ１とは異なる１以上の第２区分Ｒ２に基づいて、１以上の機器を各々に分類するための第２設定画面１０２を表示部３１に表示するステップとを有する。
【００６９】
これによれば、表示部３１は、第１区分Ｒ１に基づいて第１設定画面１０１を表示し、第２区分Ｒ２に基づいて第２設定画面１０２を表示する。第１設定画面１０１及び第２設定画面１０２のように、表示部３１は、異なる区分単位で表示することができるため、区分単位で各々の機器を個別に制御することができる。例えば、第１設定画面１０１及び第２設定画面１０２に基づいて、異なる区分に属する各々の機器を連動させれば、各々の機器の設定を最適化することができる。
【００７０】
したがって、環境負荷の軽減を図ることができる。特に、機器情報出力システム１によって、異なる区分に属する各々の機器を連動させることができれば、施設内の居住環境の最適化を図ることができる。
【００７１】
また、本実施の形態に係る機器情報出力システム１は、施設のエリアを区分する１以上の第１区分Ｒ１に基づいて、取得した情報を分類し、かつ、施設のエリアを区分する第１区分Ｒ１とは異なる１以上の第２区分Ｒ２に基づいて、情報を分類する機器管理部２２と、情報を取得したとき、機器管理部２２の分類に基づいた情報を出力する通信部２５と有する。
【００７２】
また、本実施の形態に係る機器情報出力方法は、施設のエリアを区分する１以上の第１区分Ｒ１に基づいて、取得した情報を分類する第１分類ステップと、施設のエリアを区分する第１区分Ｒ１とは異なる１以上の第２区分Ｒ２に基づいて、情報を分類する第２分類ステップと、情報を取得したとき、第１分類ステップおよび第２分類ステップの少なくとも一方の分類ステップに基づいた情報を出力するステップと有する。
【００７３】
また、本実施の形態に係るプログラムは、表示方法、又は、機器情報出力方法をコンピュータに実行させる。
【００７４】
これらにおいても、上述と同様の作用効果を奏する。
【００７５】
また、本実施の形態に係る表示方法において、第１区分Ｒ１は、所定の用途に用いられる各々の機器を分類した第１の情報を、表示部３１に表示するための区分である。そして、第２区分Ｒ２は、第１の情報とは異なる第２の情報を、表示部３１に表示するための区分である。
【００７６】
これによれば、各々の機器を第１区分Ｒ１に応じた用途と第２区分Ｒ２に応じた用途とに分類することができる。このため、各々の機器の用途に応じた制御を行うことができる。
【００７７】
また、本実施の形態に係る表示方法において、第２区分Ｒ２のいずれかは、複数の第１区分Ｒ１を包含する。
【００７８】
これによれば、第２区分Ｒ２は１以上の第１区分Ｒ１を包含しているため、大きな単位で各々の機器を制御することができる。
【００７９】
また、本実施の形態に係る表示方法は、第１区分Ｒ１及び第２区分Ｒ２の少なくとも一方において、複数の機器同士における連動の有無を設定するための第３設定画面１０３を表示部３１に表示するステップを有する。
【００８０】
これによれば、ユーザは、各々の機器同士の連動の有無を確認することができる。また、ユーザは、連動させたい各々の機器を設定することができる。このため、各々の機器の用途に応じた制御を行うことができる。
【００８１】
また、本実施の形態に係る表示方法は、第３設定画面１０３において、連動する機器の機能に関する情報を表示部３１に表示する。
【００８２】
これによれば、ユーザは、機器の機能に関する情報を確認することができる。このため、各々の機器における設定を詳細に行うことができる。
【００８３】
また、本実施の形態に係る表示方法は、連動する複数の機器のうち、一部の機器を報知の対象から除外する第４設定画面１０４を表示部３１に表示するステップを有する。
【００８４】
これによれば、ユーザの設定によって連動させない機器を任意に選択することができる。
【００８５】
また、本実施の形態に係る機器情報出力システム１は、第１区分Ｒ１に分類された機器と、第２区分Ｒ２に分類された機器とを制御する機器制御部２１をさらに備える。そして、機器制御部２１は、第２区分Ｒ２に分類された機器の動作に応じて、第１区分Ｒ１に分類された機器が所定の動作を行うように連動制御する。
【００８６】
これによれば、異なる区分に属する機器が関連付けることで、第２区分Ｒ２の機器の動作を第１区分Ｒ１の機器の動作に連動させることができる。
【００８７】
（その他変形例等）
以上、本開示について、実施の形態に基づいて説明したが、本開示は、上記表示方法、機器情報出力システム、機器情報出力方法及びプログラムに限定されるものではない。
【００８８】
例えば、上記実施の形態に係り、機器情報出力システム１ａは、図８の構成であってもよい。図８は、変形例に係る機器情報出力システムを例示するブロック図である。機器情報出力システム１ａは、さらに、表示部２４を有していてもよい。表示部２４は、実施の形態の情報表示端末３０に搭載されている図１の表示部３１と同様の構成であってもよい。また、図示は省略しているが、機器情報出力システム１ａは、ネットワークを介して情報表示端末３０と接続し、第１設定画面１０１、第２設定画面１０２、第３設定画面１０３、及び第４設定画面１０４を、情報表示端末３０に表示させてもよい。
【００８９】
また、上記実施の形態に係り、ユーザの操作によって、各々の機器を連動する連動モードと、各々の機器を連動制御させない通常モードとに切り替えることができてもよい。この場合、機器情報出力システムは、連動モードと通常モードとを相互に切り替えることが可能な切替部を有していてもよい。
【００９０】
また、上記実施の形態に係り、ステップＳ１２及びＳ１３は順番が連続しているが、これらは連続している必要はなくそれぞれが独立したタイミングで、第１設定画面１０１と第２設定画面１０２とが表示されて、それぞれを設定することができてもよい。具体的には、所定の設定画面から第１設定画面１０１に遷移して設定され、また第１設定画面１０１の設定とは別の機会において、所定の設定画面から第２設定画面１０２に遷移して設定することができてもよい。このため、図７Ａのフローにおいて、ステップＳ１１、Ｓ１２、及び第１設定画面１０１への入力の完了を判断するステップのフローと、ステップＳ１１、Ｓ１３、及び第２設定画面１０２への入力の完了を判断するステップのフローとが別々に独立していてもよい。
【００９１】
また、上記実施の形態に係る表示方法、又は、機器情報出力方法を用いたプログラムは、コンピュータに搭載された記憶装置に格納されていてもよい。
【００９２】
また、上記実施の形態に係る機器情報出力システムに含まれる各処理部は、典型的に集積回路であるＬＳＩとして実現される。これらは個別に１チップ化されてもよいし、一部又は全てを含むように１チップ化されてもよい。
【００９３】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００９４】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【００９５】
また、上記で用いた数字は、全て本開示を具体的に説明するために例示するものであり、本開示の実施の形態は例示された数字に制限されない。
【００９６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００９７】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【００９８】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【００９９】
１、１ａ  機器情報出力システム
２２  機器管理部
２４  表示部
２５  通信部（出力部）
３０  情報表示端末（情報端末）
４１、４２、４３、４４、４５  機器（４１、Ａ１〜Ａ６  窓センサー、４２  空気清浄機、４３  空調装置、４４  照明装置、４５  ＩＨ調理器）
１０１  第１設定画面
１０２  第２設定画面
１０３  第３設定画面
１０４  第４設定画面
Ｒ１  第１区分
Ｒ２  第２区分
【図１】
2020009211.tif 000003
【図２】
2020009211.tif 000004
【図３Ａ】
2020009211.tif 000005
【図３Ｂ】
2020009211.tif 000006
【図３Ｃ】
2020009211.tif 000007
【図４Ａ】
2020009211.tif 000008
【図４Ｂ】
2020009211.tif 000009
【図５Ａ】
2020009211.tif 000010
【図５Ｂ】
2020009211.tif 000011
【図６】
2020009211.tif 000012
【図７Ａ】
2020009211.tif 000013
【図７Ｂ】
2020009211.tif 000014
【図８】
2020009211.tif 000015